(57)【特許請求の範囲】
【請求項１】
載置板部、及び、該載置板部の両側に設けられた両側壁を有する起立載置台であって、流動性液体を柔軟性の袋の中に収容した、起立したときに該載置板部の前後方向に倒れ易い、柔軟性物品を載置する起立載置台において、起立状態の該柔軟性物品の底部に接触して該柔軟性物品の底部に該載置板部の前後方向に長くなる凹状の溝を形成するための、起立壁、棒状材及びコイルばねから選ばれる一つの材料で構成された突状部を該載置板部の表面上に該載置板部の前端から後端にかけて設けて、該凹状の溝の両側を該載置板部に接触させると共に該両側壁に接触させることにより、該柔軟性物品を安定して起立させるようにしたことを特徴とする柔軟性物品の起立載置台。
【発明の詳細な説明】
【０００１】
【発明の属する技術分野】
本発明は、起立状態に載置したときに極めて倒れ易くなる柔軟性物質を、安定した起立状態に保持することができる柔軟性物品の起立載置台に関する。
【０００２】
【従来の技術】
栄養分を多量に含んだ美味な健康飲料は、飲み易く、しかも、平常不足しがちな栄養源を補充することができるので、ますます需要の拡大が見込まれている。健康飲料の容器には、一般的に壜や缶が使用されているが、飲み終わった後の容器が大きなごみとなるので、容器を回収して資源を再利用することが望まれているが、未だ回収率は低い。
【０００３】
最近、ゼリー状の清涼飲食水を柔軟性の袋１の中に詰め、袋１の上部に設けた筒部２に雄ねじを設け、この雄ねじに螺合する雌ねじを有するキャップ３で密封した健康食品である商品Ｂが開発されている（図１参照）。
この商品Ｂは、柔軟性の袋１を押圧することにより内部の流動性の清涼飲食水が筒部２から押し出されるので飲み易く、飲み終わった空容器は偏平な小容積となるので、廃棄し易くごみ処理問題が生じないなどの利点がある。
【０００４】
【発明が解決しようとする課題】
この商品Ｂを商店の陳列棚に載置して配列する場合、顧客に商品が見え易くなるように起立状態に載置すると、底部４の接触面積が少なく、且つ、ゼリー状等の流動性液体を包装している柔軟性の袋１が、流動性液体の影響を受けて変形し易いため、起立状態に保持することができない。
商品Ｂを倒伏状態にして陳列棚に載置した場合には、顧客の目に止まり難くなり、しかも、陳列棚の占有床面積が大きくなるので、陳列棚の収容効率が低下する問題がある。
本発明はかかる課題を解決するものであり、柔軟性物質の特性を逆に利用して柔軟性物質を転倒し難い形状に変形させるものであり、健康食品である商品Ｂに限らず流動性の液体を包装した柔軟性物質を安定して起立させることができる柔軟性物品の起立載置台を提供するものである。
【０００５】
【課題を解決するための手段】
上記目的を達成するために、本発明の柔軟性物品の起立載置台は、載置板部、及び、該載置板部の両側に設けられた両側壁を有する起立載置台であって、流動性液体を柔軟性の袋の中に収容した、起立したときに該載置板部の前後方向に倒れ易い、柔軟性物品を載置する起立載置台において、起立状態の該柔軟性物品の底部に接触して該柔軟性物品の底部に該載置板部の前後方向に長くなる凹状の溝を形成するための、起立壁、棒状材及びコイルばねから選ばれる一つの材料で構成された突状部を該載置板部の表面上に該載置板部の前端から後端にかけて設けて、該凹状の溝の両側を該載置板部に接触させると共に該両側壁に接触させることにより、該柔軟性物品を安定して起立させるようにしたことを特徴とするものである。
【０００６】
【発明の実施の形態】
本発明の実施の形態について図面を参照して説明すると、図１は商品Ｂと柔軟性物品の起立載置台Ａの斜視図、図２は起立状態にした商品Ｂを配列して載置した起立載置台Ａの斜視図である。
図１に示すように、商品Ｂは、折り畳まれた柔軟性の袋１の中に、流動性液体（ゼリー等の流動性のある粘性体を含む）を収容し、上部と底部を残して中央部分、特に中央部分の下側が膨れた形状になっている。
上部には筒部２を密閉するキャップ３が設けられている。
【０００７】
この商品Ｂを載置する起立載置台Ａは、載置板部５の両側に高さの低い側壁６が設けられ、載置板部５の前端に設けられる前部壁７の上端より外側に屈曲して折り返される商品表示用部８が設けられる。
載置板部５の後端に、側壁５と同じ高さの後部壁９が設けられ、載置板部４の上面には、側壁５に平行な起立壁１０が設けられる。
【０００８】
側壁６，６の間隔は、商品Ｂの幅寸法Ｓより僅かに大きく、前部壁７と後部壁９との間隔は、商品Ｂを配列して載置する長さに形成されている。
起立壁１０の位置は、載置板部５の幅方向の中央に設けられているが、中央より多少側壁６に寄った位置でもよい。
【０００９】
起立壁１０の高さは、柔軟物質である商品Ｂを起立したときの底部４に接触し、底部４のほぼ中央に、凹状の溝１１を形成する高さを有する（図３参照）。
凹状の溝１１の形成により、凹状の溝１１から押し出された内部の流動性液体が、底部４の前部及び後部に移動し、凹状の溝１１の長さ寸法Ｔ1 が、載置される前の底部４の厚さ寸法Ｔよりも大きくなり、起立状態の商品Ｂの転倒が防止される（図４参照）。
又、商品Ｂの底部４は、凹状の溝１１の両側が載置板部５に接触し、更に商品Ｂを倒れ難くする支持脚の機能を果たす（図３参照）。
【００１０】
かくして、起立載置台Ａの上に起立状態に保持された商品Ｂは、袋１の表面に記載された商標，商品名，宣伝などの記載が顧客に注目され易いので、販売が促進されるようになる。
本実施例では、一方の側壁５の下端部に外面に突出し、先端が上方に屈曲する連結部１２を設け、他方の側壁５の下端部に外面に突出し、先端が下方に屈曲する連結部１３を設けると（図１参照）、起立載置台Ａの連結部１２を他の起立載置台Ａの連結部１３に係合し、複数の起立載置台Ａを商店の陳列棚の上に一体的に結合して配列することができるようになっているが、起立載置台Ａは、連結部１２，１３を設けないものであってもよい。
【００１１】
以上の実施例では、載置板部５の上面に起立壁１０を設けたが、前部壁７と後部壁９とを結ぶ棒状材，或いは、コイルばねであってもよい。
又、本実施例では、起立載置台Ａの底壁５に１条の長い起立壁１０を設けたが、起立載置台Ａの底壁５に断続的につながる起立壁１０を設けてもよい。
又、本実施例は、商品の展示を目的とした起立載置台Ａについて述べたが、例えば、多数の商品を配列状態にして内部に収容する梱包用カートンの内底面も商品を載置する載置台であり、梱包ケースの内底面に起立壁１０を設けてもよい。
【００１２】
【発明の効果】
本発明は以上のように構成されているので、以下に記載されるような効果を奏する。
（１）本発明の起立載置台は、起立し難い不安定な柔軟性物質を、その柔軟性を逆に利用して起立状態に保持するようにしたので、柔軟性物質を起立状態に配列する作業が容易になり、柔軟性物質が整然と配列された状態に保持され、且つ  柔軟性物質が展示される商品である場合には、起立状態に保持された商品が顧客に注目され易くなる効果が生じる。
（２）本発明の起立載置台は、載置板部の上面に起立壁、棒状材及びコイルばねから選ばれる一つの材料で構成された突状部を設ける簡単な構造であるので、上記のような効果のある載置台を安価に提供できる効果がある。
又、商品を起立して載置する台であれば、商品展示台に限らず梱包ケースなどを含めた幅広い利用が考えられる。
【図面の簡単な説明】
【図１】商品と柔軟性物品の起立載置台の斜視図である。
【図２】起立状態にした商品を配列して載置した起立載置台の斜視図である。
【図３】起立載置台の起立壁により柔軟性物品の変形を正面から見た図面である。
【図４】起立載置台の起立壁により柔軟性物品の変形を側面から見た図面である。
【符号の説明】
Ａ              柔軟性物品の起立載置台
Ｂ              商品
１              柔軟性の袋
３              キャップ
４              底部
５              載置板部
１０            起立壁
１１            凹状の溝
【図１】
0003602286.tif 000002
【図２】
0003602286.tif 000003
【図３】
0003602286.tif 000004
【図４】
0003602286.tif 000005